(57)【要約】【課題】  対象物が硬くても確実に締め付けることができ、締め付け後は螺子類が緩みにくくなるようにする。【解決手段】  本発明の座金は座金本体とそれと別体のバネを備え、バネは圧縮、復元可能な弾性部と、座金に取り付け可能な係止部を備え、係止部が座金本体の嵌合凹部に嵌合されて脱落しないように係止され、弾性部が座金本体の裏面から外に突出し、嵌合凹部内に嵌合されたバネは螺子類の締め付けにより対象物に押し付けられて対象物に圧接可能である。本発明の座金付き螺子類は座金が前記座金であり、座金が螺子類の頭部の裏面に水平回転及び上下スライド可能に取り付けられたものである。座金は螺子類の締め付けにより頭部突起と座金突起が噛み合って締め付けられ、座金のバネが対象物側に押されて圧接されるようにした。【選択図】図１
2015224671.tif 000002
【特許請求の範囲】
【請求項１】
螺子類の頭部の根元側にセットされる座金において、
座金本体とそれと別体のバネを備え、
バネは圧縮、復元可能な弾性部と、座金に取り付け可能な係止部を備え、係止部が座金本体の嵌合凹部に嵌合されて脱落しないように係止され、弾性部が座金本体の裏面から外に突出し、
嵌合凹部内に嵌合されたバネは螺子類の締め付けにより対象物に押し付けられて対象物に圧接可能である、
ことを特徴とする座金。
【請求項２】
請求項１記載の座金において、
圧縮、復元可能な弾性部が板材又は線材を曲げて形成された、
ことを特徴とする座金。
【請求項３】
請求項１又は請求項２記載の座金において、
係止部が座金本体にインサートされた、
ことを特徴とする座金。
【請求項４】
請求項１から請求項３のいずれか１項に記載の座金において、
座金本体はその表面に座金突起を備え、その座金突起は螺子類の締め付けにより螺子類の頭部の裏面に形成されている頭部突起と噛み合い、その噛み合い状態で螺子類を締め付けるとバネの弾性部が対象物に押されて圧接される、
ことを特徴とする座金。
【請求項５】
螺子類の頭部の裏面側に座金が取り付けられた座金付き螺子類であって、
座金が請求項１から４のいずれか１項に記載の座金であり、
座金が螺子類の頭部の裏面に水平回転及び上下スライド可能に取り付けられた、
ことを特徴とする座金付き螺子類。
【請求項６】
請求項５記載の座金付き螺子類において、
螺子類が頭部とカシメ用突起を備えたナットであり、
座金が請求項４記載の座金であり、
座金がカシメ用突起のカシメにより、ナットの裏面に水平回転及び上下スライド可能に取り付けられ、
座金はナットの締め付けにより頭部突起と座金突起が噛み合って締め付けられ、座金のバネが対象物側に押されて圧接される、
ことを特徴とする座金付き螺子類。
【請求項７】
請求項５記載の座金付き螺子類において、
螺子類が頭部とボルト軸を備えたボルトであり、
座金が請求項４に記載の座金であり、
ボルト軸は螺子が形成された螺子部と螺子が形成されていない首部を備え、
座金は水平回転及び上下スライド可能にボルト軸の首部の外周に設けられ、
螺子部の螺子山は座金の貫通孔よりも大きく、首部の外周に設けられた座金は当該螺子山に係止することによってボルト軸から抜け落ちないようにしてあり、
座金はボルトの締め付けにより頭部突起と座金突起が噛み合って締め付けられ、座金のバネが対象物側に押されて圧接される、
ことを特徴とする座金付き螺子類。
【発明の詳細な説明】
【技術分野】
【０００１】
本発明は、ボルト、ナット、鋲等（以下「螺子類」という。特許請求の範囲において同じ。）の頭部の根元にセットして使用される座金と、座金を備えた螺子類（以下「座金付き螺子類」という。特許請求の範囲において同じ。）に関し、特に、締め付けた螺子類の緩みを防止可能な座金と座金付き螺子類に関するものである。
【背景技術】
【０００２】
従来、緩み止め機構を備えた座金や座金付き螺子類として、本件出願人が先に出願した座金や座金付き螺子類（特許文献１）がある。この座金は、表面（上面）に側面視山形の座金突起が放射状に設けられ、裏面（底面）の周方向数箇所に食い込み突起が設けられている。この座金は螺子類の頭部裏側にセットして螺子類を締め付けると、螺子類の頭部の裏面（底面）に設けられた頭部突起（座金突起と噛み合う形状）が座金突起と噛み合い、食い込み突起が締め付ける対象物に食い込むことによって、螺子類の緩みを防止できるようにしたものである。
【先行技術文献】
【特許文献】
【０００３】
【特許文献１】特開２００６−２４２３２４号公報
【発明の概要】
【発明が解決しようとする課題】
【０００４】
特許文献１の座金は、螺子類の締め付けにより食い込み突起が対象物に食い込むため、対象物に食い込み跡がつく（対象物に傷がつく）という難点がある。対象物が硬質の場合は、食い込み突起が対象物に食い込みにくいとか、食い込むことができないといったことがある。
【０００５】
本発明の解決課題は、対象物が硬いものであっても、対象物を確実に締め付けることができ、締め付け後は螺子類が緩みにくくなるようにすることにある。
【課題を解決するための手段】
【０００６】
［座金］
本発明の座金は螺子類の頭部の根元側にセットされる座金であって、座金本体とそれと別体のバネを備え、バネは圧縮、復元可能な弾性部と、座金に取り付け可能な係止部を備え、係止部が座金本体の嵌合凹部に嵌合されて不用意に脱落しないように係止され、弾性部が座金本体の裏面から外に突出し、嵌合凹部内に嵌合されたバネは螺子類の締め付けにより対象物に押し付けられて対象物に圧接するようにしてある。座金本体とバネは同じ材質でも異なる材質でもよい。
【０００７】
圧縮、復元可能な弾性部は板材又は線材を曲げて形成することができる。
【０００８】
係止部が座金本体にインサートされたものであってもよい。
【０００９】
座金本体の嵌合凹部はバネの係止部が係止可能な溝又は窪み又は座金本体の上下に貫通する孔とすることができる。
【００１０】
バネは弾性部を圧縮して座金本体の嵌合凹部に嵌入し、圧縮を開放して嵌合凹部に係止したものであってもよい。バネは弾性部を圧縮して係止部を座金本体の差込み孔に挿通することにより座金本体の表面に係止し、圧縮を開放して係止部を嵌合凹部に係止することもできる。
【００１１】
座金本体はその表面に座金突起を備え、その座金突起は螺子類の締め付けにより螺子類の頭部の裏面に形成されている頭部突起と噛み合い、その噛み合い状態で螺子類を締め付けるとバネの弾性部が対象物に押し付けられて圧接されるものであってもよい。
【００１２】
［座金付き螺子類］
螺子類の頭部の裏面側に座金が取り付けられた座金付き螺子類であって、座金が前記いずれかの座金であり、座金が螺子類の頭部の裏面に水平回転及び上下スライド可能に取り付けられたものである。
【００１３】
螺子類が頭部とカシメ用突起を備えたナットである場合、座金がカシメ用突起のカシメによりナットの裏面に水平回転及び上下スライド可能に取り付けられ、座金はナットの締め付けにより頭部突起と座金突起が噛み合って締め付けられ、座金のバネが対象物側に押されて圧接されるものとすることもできる。
【００１４】
螺子類が頭部とボルト軸を備えたボルトである場合、ボルト軸は螺子が形成された螺子部と螺子が形成されていない首部を備え、座金は水平回転及び上下スライド可能にボルト軸の首部の外周に設けられ、螺子部の螺子山は座金の貫通孔よりも大きく、首部の外周に設けられた座金は当該螺子山に係止することによってボルト軸から抜け落ちないようにしてあり、座金はボルトの締め付けにより頭部突起と座金突起が噛み合って締め付けられ、座金のバネが対象物側に押されて圧接されるものとすることもできる。
【発明の効果】
【００１５】
本発明の座金及び座金付き螺子類は次の効果を奏する。
（１）食い込み突起を対象物に食い込ませるものではなく、バネを対象物に押圧させてその反発力を利用して緩みを防止するものであるため、食い込み突起を食い込ませられないような硬い対象物も確実に締め付けることができる。
（２）食い込み突起を対象物に食い込ませるものではなく、バネを対象物に押圧させてその反発力を利用して緩みを防止するものであるため、対象物が傷つき難い。
【図面の簡単な説明】
【００１６】
【図１】本発明の座金の構造を示すものであって、（ａ）はバネを組み込む前の座金本体の平面図、（ｂ）は（ａ）の座金本体のＢ−Ｂ断面図、（ｃ）は（ａ）の座金本体の嵌合凹部にバネをセットした状態（本発明の座金）の断面図、（ｄ）は座金本体の貫通孔側上面を座金突起より一段低くした場合の断面図、（ｅ）は（ａ）のＥ矢視図。
【図２】本発明の座金の座金突起の断面図であって、（ａ）は座金突起の稜線部を弧面状にした例の側面図、（ｂ）は座金突起の稜線部を平面状にした例の側面図。
【図３】本発明の座金におけるバネの各種例を示すものであって、（ａ）は半円弧状にしたバネの斜視図、（ｂ）はＣ字状にしたバネの斜視図、（ｃ）はＶ字状にしたバネの斜視図、（ｄ）は弾性部を円弧状にし、係止部を弧状に折り返したバネの斜視図、（ｅ）はＷ字状にしたバネの斜視図。
【図４】本発明の座金の各種例を示す断面図であり、（ａ）は座金本体の裏面に嵌合凹部を二列に設けた場合の断面図、（ｂ）は嵌合凹部がＴ字状の場合の断面図、（ｃ）は嵌合凹部を孔にした場合の断面図。
【図５】本発明の座金付き螺子類（座金付きナット）の一例を示すものであって、（ａ）はナットと座金を組み合わせる前の状態を示す正面図、（ｂ）はナットと座金を組み合わせた状態を示す正面図。
【図６】本発明の座金付き螺子類（座金付きボルト）の一例を示すものであって、（ａ）はボルトと座金を組み合わせる前の状態を示す正面図、（ｂ）はボルトと座金を組み合わせた状態を示す正面図、（ｃ）は座金付きナットと座金付きボルトを用いて対象物を固定する場合の説明図。
【発明を実施するための形態】
【００１７】
（座金の実施形態１：嵌合式）
本発明の座金１の一例を、図面を参照して説明する。この実施形態の座金１は螺子類２の頭部３の裏面にセットして利用されるものである。
【００１８】
［座金の概要］
本発明の座金１は別々に成形された座金本体４とバネ５を備え、バネ５が座金本体４の嵌合凹部１６内に嵌入されたものである。バネ５は弾性部５ａと係止部５ｂを備え、係止部５ｂが嵌合凹部１６内に嵌入係止され、弾性部５ａが座金本体４の裏面４ｂから突出しており、螺子類２を締め付けると弾性部５ａが対象物Ｗ（図６（ｃ））に押し付けられて圧接するようにしてある。
【００１９】
［座金本体］
座金本体４は円盤状であり（図１（ａ））、その中央部に貫通孔１０（図１（ａ）〜（ｄ））１０が開口されている。貫通孔１０はナット６（図５（ａ））の頭部３の裏面に突出している筒状の突起（カシメ用突起７：図５（ａ））や、ボルト８（図６（ａ））の頭部３の裏面に突出しているボルト軸９（図６（ａ））を挿通可能である。
【００２０】
図１（ａ）〜（ｅ）に示すように、座金本体４の表面４ａであって貫通孔１０の内周縁１１と座金本体４の外周縁１２との間には当該表面４ａの他の部分よりも一段高い高台部１３が形成されており、高台部１３の表面の周方向四か所に山形の座金突起１４が放射状に突設されている。座金突起１４の間は座金突起１４のない無突起部１５となっている。
【００２１】
座金本体４の裏面４ｂ（図１（ｂ））であって、座金本体４の表面４ａの無突起部１５の裏側には嵌合凹部１６が形成されている。嵌合凹部１６内にはバネ５（図１（ｃ））の係止部５ｂが差し込まれ、外側広がりになっている係止部５ｂが嵌合凹部１６の内壁面に圧接して抜けないようにしてある。図１（ａ）の嵌合凹部１６は細長凹部であるが、その形状はバネ５を嵌入できる長さ、横幅、深さであれば、他の形状であってもよい。嵌合凹部１６の本数も四本に限らず、例えば、三本とすることも、座金本体４の裏面４ｂの全周に一本だけリング状に設けることもできる。図４（ａ）に示すように凹溝状の嵌合凹部１６を二本平行に設けることもできる。
【００２２】
嵌合凹部１６は図４（ｂ）に示すように、断面視Ｔ字状の溝であってもよい。この場合は、バネ５の係止部５ｂを横板状にして、嵌合凹部１６の水平凹部内にバネ５の係止部５ｂを嵌入して係止させることができる。
【００２３】
嵌合凹部１６は図４（ｃ）に示すように二つの差込み孔２０を離して設け、その差込み孔２０に、線材（例えば針金）を湾曲成形したバネ５の係止部５ｂを差し込んで貫通させ、貫通後に係止部５ｂを開いて座金本体４の表面４ａに係止させることもできる。
【００２４】
前記座金突起１４は図２（ａ）（ｂ）に示すように山形であり、乗り越え斜面１７と係止面１８と稜線部１９を備えている。乗り越え斜面１７は稜線部１９よりも締め付け回転方向手前側に形成され、稜線部１９は乗り越え斜面１７と係止面１８の交差部（山の頂部）に形成されている。稜線部１９の頂部は図２（ａ）に示すように弧面状にして、螺子類２の頭部３の裏面に形成されている頭部突起３１との噛み合いにより、欠けたり、潰れたりし難く（欠損し難く）なるようにしてある。また、座金突起１４を成型するプレス金型の稜線部１９成型箇所が成型時に欠損し難くなって型持ち（長持ち）するようにしてある。稜線部１９の頂部は図２（ｂ）に示すように平面状にすることもできる。稜線部１９の頂部を弧状或いは平面状にすることにより、螺子類２の頭部突起３１との噛み合いにより欠け難くなり潰れ難くなる（欠損し難くなる）。
【００２５】
多数本の座金突起１４は同じ形状である。座金突起１４の突出寸法、乗り越え斜面１７の傾斜角度、係止面１８の傾斜角度、稜線部１９の弧面半径Ｒ、平面状の場合の平面幅等は、座金１の直径（大きさ）や用途等に応じて適宜設計することができる。座金１の直径１９mm、厚さ３mmの場合、乗り越え斜面１７の傾斜角度（勾配）１０〜６０度程度、係止面１８の角度７０〜９０度程度、稜線部１９の弧面半径Ｒ０．２〜０．３mm程度が好ましい。これら寸法は、座金１の直径サイズ、肉厚、座金突起１４の高さ等に合わせて設計することができる。
【００２６】
［バネ］
バネ５の一例として図３（ａ）に示すものは端面形状がほぼ半円状の筒状（半円筒状）である。図３（ｂ）に示すものは端面形状ほぼＣ字状の筒状である。図３（ｃ）に示すものは端面形状ほぼＶ字状（樋状）である。図３（ｄ）に示すものは端面形状ほぼ半円筒状であり、両端の係止部５ｂを外側に弧状に折り返してある。図３（ｅ）に示すものは端面形状Ｗ字状である。これらバネ５は板材を曲げて成形してあり、弾性部５ａは内側に縮小し、外側に広がる（復元する）弾性を備えており、両端の係止部５ｂは外側に開く復元力で嵌合凹部１６の内面に圧接して、嵌合凹部１６内に嵌入すると嵌合凹部１６内に係止されて脱落しないようにしてある。
【００２７】
本発明のバネ５の形状は前記したもの以外であってもよい。バネ５の成形方法は材料にもよるが、材料が薄い鋼板の場合は半円筒状に折り曲げて成形することができ、樹脂製の場合は成型することができる。
【００２８】
本発明の座金１はナット６（図５（ａ））の頭部３の裏面やボルト８（図６（ａ））の頭部３の裏面にセットして使用されるものであり、嵌合凹部１６内に嵌入されたバネ５はナット６やボルト８の頭部３（図６（ｃ））で押し込まれることによって、対象物Ｗ（図６（ｃ））に圧接されるようにしてある。
【００２９】
座金本体４とバネ５は同じ材質製とすることも異なる材質製とすることもできる。座金本体４は硬質な金属製、セラミック製といった各種材質製とすることができ、樹脂製或いは硬質ゴム製といった弾性のある軟質材製とすることもできる。
【００３０】
（座金の実施形態２：インサート方式）
前記実施形態１では、バネ５を嵌合凹部１６内に嵌合する場合を一例として説明したが、座金本体４が樹脂、ゴムといった成型可能な材質製の場合は、バネ５の係止部５ｂを注型（インサート成型）によって座金本体４に埋め込む（インサートする）こともできる。この場合、バネ５の弾性部５ａを座金本体４の裏面４ｂより下方に突出させておく。係止部５ｂはインサートし易く、インサート後に抜けにくくなる形状に成形しておくのが望ましい。
【００３１】
座金本体４が鋳物製である場合はバネ５を鋳込み成形によって座金本体４にインサート成形することができる。座金本体４がアルミ合金製或いは亜鉛合金製の場合は、座金本体４をダイキャスト成型するときに、バネ５の係止部５ｂを座金本体４にインサートすることができる。座金本体４、バネ５の形状は前記実施形態１と共通する部分については実施形態１と同様である。
【００３２】
（座金のその他の実施形態）
前記実施形態１及び２では、図１（ａ）〜（ｅ）に示すように、座金本体４の表面４ａに高台部１３を設け、その上に座金突起１４を形成した場合を一例として説明しているが、高台部１３を設けることなく、図１（ｄ）のように座金本体４の表面４ａに直に座金突起１４を形成することもできる。いずれの場合も、座金本体４の表面４ａであって座金突起１４の内側（貫通孔１０側）と外側（座金本体４の外周縁１２側）とを座金突起１４の谷（底）よりも低くして、座金突起１４と噛み合う螺子類２の頭部突起３１の稜線部１９が座金突起１４の谷（底）に到達するまで強く締め付けることができるようにしておくのが望ましい。ちなみに、座金本体４の表面４ａであって座金突起１４よりも内側と外側が、座金突起１４の谷（底）よりも高いと、座金突起１４と噛み合う螺子類２の頭部突起３１の稜線部３４が座金突起１４の谷（底）に到達する前に座金本体４の表面に突き当たってしまい、それ以上強く締め付けることができなくなる（締め付けが途中までとなる）。
【００３３】
（座金付き螺子類の実施形態１）
本発明の座金付き螺子類３０の一例を図５（ａ）（ｂ）を参照して説明する。本発明における螺子類２にはボルト８、ナット６、鋲といった各種のものが含まれるが、ここでは、螺子類２がナット６の場合（座金付き螺子類３０が座金付きナット３０ａの場合）を一例として説明する。この場合、座金１には前記座金の実施形態で説明した本発明の座金１を使用することができる。
【００３４】
［ナット］
一例として図５（ａ）（ｂ）に示すナット６は、中心部にボルト８のボルト軸９（図６（ａ）〜（ｃ））を螺合可能な螺子孔（図示しない）を備えたものであり、裏面に頭部突起３１を備えている。この頭部突起３１は座金突起１４と噛み合う突起であり、図５（ａ）に示すように、乗り越え斜面３２と係止面３３と稜線部３４を備えた山形である。乗り越え斜面３２や係止面３３の傾斜角度や稜線部３４の高さなどは座金突起１４のそれらと同じにして、座金突起１４と噛み合うようにしてある。頭部突起３１はナット６を締め付け方向に回すと、座金突起１４の乗り越え斜面１７を乗り越えて回転するが、逆回転方向には、頭部突起３１の係止面３３が座金突起１４の係止面１８に係止して回転が阻止されるようにしてある。この頭部突起３１の稜線部３４も弧面状或いは平面状にして、頭部突起３１が座金突起１４を乗り越えても欠損し難く、プレス金型も成型時に欠損し難くなるようにしてある。それら寸法は座金突起１４のそれらと同じにする。
【００３５】
図５（ｂ）に示す座金付きナット３０ａは、例えば、図５（ａ）に示すように、ナット６の頭部３の下に設けられたカシメ用突起７を座金本体４の貫通孔１０内に差し込み、カシメ用突起７の先端部（下端部）７ａを外側に折り返して（座金本体４の貫通孔１０の外周縁にカシメて）座金１をナット６に取り付ける。この場合、座金１が水平回転でき且つ上下にスライドできる程度の強さでカシメる（強くカシメし過ぎない）。
【００３６】
図５（ａ）の座金付きナット３０ａはナット６を締め付け方向に回転させると、ナット６の頭部突起３１が座金突起１４と噛み合って、座金１を対象物Ｗ（図６（ｃ））に押し付けて、座金本体４に嵌合又はインサートしたバネ５の弾性部５ａが対象物Ｗに押し付けられて、ナット６の戻り回転が阻止されて緩みが防止される。
【００３７】
（座金付き螺子類の実施形態２）
本発明の座金付き螺子類３０の他例を図６（ａ）〜（ｃ）を参照して説明する。この実施形態の座金付き螺子類３０は、螺子類２がボルト８の場合（座金付き螺子類３０が座金付きボルト３０ｂの場合）の例である。座金１には前記座金の実施形態において説明した各種座金１を使用することができる。
【００３８】
［ボルト］
一例として図６（ａ）〜（ｃ）に示すボルト８は、頭部３の裏面からボルト軸９が突設されたものであり、頭部３の裏面に頭部突起３１が形成されている。この頭部突起３１は座金１の座金突起１４と噛み合う突起であり、乗り越え斜面３２と係止面３３と稜線部３４を備えた山形である。乗り越え斜面３２、係止面３３のサイズ、傾斜角度等を座金１の座金突起１４と同じにして、座金突起１４と噛み合うようにしてある。
【００３９】
図６（ｃ）に示すように、ボルト軸９は螺子が形成された螺子部３５と螺子が形成されていない無螺子部（首部）３６を備えている。前記座金１はボルト軸９の首部３６の外周に図６（ｂ）のようにセットし、その首部３６の下方（座金１の下方）に螺子を切って螺子部３５を形成して、座金１が螺子部３５の螺子山に係止して螺子部３５から抜け落ちないようにしてある。座金１は首部３６の下で軸方向（図６（ｃ）の上下方向）にスライド可能であり水平回転も可能である。
【００４０】
図示した座金付きボルト３０ｂは、ボルト８の頭部３を締め付け方向に回すと、頭部突起３１が座金１の座金突起１４を乗り越えて回転するが、逆方向には、頭部突起３１の係止面３３が座金突起１４の係止面１８に係止して回転が阻止されるようにしてある。この稜線部３４の頂部も弧面状或いは平面状にして、頭部突起３１が座金突起１４を乗り越えても欠損し難く、プレス金型の稜線部形成箇所も成型時に欠損し難くなるようにしてある。
【００４１】
（座金付き螺子類のその他の実施形態）
前記実施形態では、座金１に座金突起１４が設けられ、螺子類２に頭部突起３１が設けられた場合を一例として説明しているが、座金１は座金突起１４のないものであってもよく、螺子類２は頭部突起３１のないものであってもよい。
【００４２】
（座金付き螺子類の使用例）
座金付き螺子類３０の使用例を、図６（ｃ）を参照して説明する。この使用例は、二枚の板状の対象物Ｗ１、Ｗ２を図５（ｂ）に示す座金付きナット３０ａと、図６（ｂ）に示す座金付きボルト３０ｂを用いて固定する場合の例である。
（１）重ねてある二枚の対象物Ｗ１、Ｗ２の挿通孔Ｈ１、Ｈ２に座金付きボルト３０ｂのボルト軸９を挿通する。
（２）対象物（下板）Ｗ２の下方に突出したボルト軸９に座金付きナット３０ａを螺合し、座金１の裏面４ｂが下板Ｗ２に接触するまで座金１を締め付け、この座金付きナット３０ａの座金１に嵌合係止したバネ５の弾性部５ａを下板Ｗ２に、対象物（上板）Ｗ１の上の座金付きボルト３０ｂの座金１に嵌合係止したバネ５の弾性部５ａを上板Ｗ１に圧接させる。
【産業上の利用可能性】
【００４３】
本発明の座金１はナット６やボルト８に予め組み込んでおくのではなく、使用時に、ナット６やボルト８にセットして使用することもできる。
【符号の説明】
【００４４】
１      座金
２      螺子類
３      頭部
４      座金本体
４ａ    （座金本体の）表面
４ｂ    （座金本体の）裏面
５      バネ
５ａ    弾性部
５ｂ    係止部
６      ナット
７      カシメ用突起
７ａ    （連結軸の）先端部
８      ボルト
９      ボルト軸
１０    貫通孔
１１    内周縁
１２    外周縁
１３    高台部
１４    座金突起
１５    無突起部
１６    嵌合凹部
１７    乗り越え斜面
１８    係止面
１９    稜線部
２０    差込み孔
３０    座金付き螺子類
３０ａ  座金付きナット
３０ｂ  座金付きボルト
３１    頭部突起
３２    乗り越え斜面
３３    係止面
３４    稜線部
３５    螺子部
３６    無螺子部（首部）
Ｗ      対象物
Ｗ１    上側の対象物（上板）
Ｗ２    下側の対象物（下板）
Ｈ１    （上板の）挿通孔
Ｈ２    （下板の）挿通孔
【図１】
2015224671.tif 000003
【図２】
2015224671.tif 000004
【図３】
2015224671.tif 000005
【図４】
2015224671.tif 000006
【図５】
2015224671.tif 000007
【図６】
2015224671.tif 000008